(57)【要約】複数の異なる種類のプロセス制御装置のうちのいずれか１つをエミュレートするように使用者によって構成され得る、バルブ位置コントローラ等のフィールドデバイス（１２）を含む構成可能なプロセス制御装置（１０）には、電子ディスプレイアセンブリ（１６）が設けられる。電子ディスプレイアセンブリは、フィールドデバイスがエミュレートするように構成された特定の種類の制御装置に関連する情報を、電子ディスプレイアセンブリに表示させるフィールドデバイスの特定の構成に応答するように配置される、制御回路（１８）へ作動するように接続される。この情報は、フィールドデバイスがエミュレートするように構成され得る異なる種類のプロセス制御装置の各々に固有の安全認証情報を含んでもよい。
2016503555.tif 000002
【特許請求の範囲】
【請求項１】
複数の使用環境で使用するための構成可能なプロセス制御装置であって、所定の複数の認証のうちの少なくとも１つは、前記構成可能なプロセス制御装置が使用される使用環境に応じて、前記構成可能なプロセス制御装置とともに表示されなければならず、前記構成可能なプロセス制御装置は、
フィールドデバイスと、
前記フィールドデバイスに作動するように連結される第１の制御回路であって、前記フィールドデバイスを制御するように配置され、かつ前記フィールドデバイスに複数の異なるプロセス制御装置の種類のいずれかを選択的にエミュレートさせるために、使用者によって再構成されるように配置される第１の制御回路と、
電子ディスプレイアセンブリであって、選択的に異なる情報を表示するように配置される電子ディスプレイアセンブリと、
第２の制御回路であって、前記電子ディスプレイアセンブリおよび前記第１の制御回路に作動するように連結され、複数の異なる認証情報セットにアクセスでき、前記認証情報セットの各々は前記複数の異なるプロセス制御装置の種類のうちの異なる１つに対応する第２の制御回路とを備え、
前記第２の制御回路は、前記電子ディスプレイアセンブリに、前記フィールドデバイスがエミュレートすることを選択された前記プロセス制御装置の種類に対応する前記認証情報セットのうちの選択された１つを表示させる、構成可能なプロセス制御装置。
【請求項２】
前記フィールドデバイスは近接センサスイッチを備え、前記第１の制御回路は、複数の異なるスイッチの種類に対応する複数の異なる回路のうちのいずれか１つを完結するように選択的に構成されるように配置された少なくとも１つのリードを備え、前記複数の認証情報セットの各々は、前記選択されたスイッチの種類が許容可能な使用のために等級付けられる危険区域（複数可）の種類を特定する対応スイッチの種類の認証情報を含む、請求項１に記載の構成可能なプロセス制御装置。
【請求項３】
ハウジングをさらに備え、前記フィールドデバイスおよび前記電子ディスプレイアセンブリは前記ハウジングによって担持される、請求項１または２に記載の構成可能なプロセス制御装置。
【請求項４】
前記第２の制御回路はマイクロコントローラおよびデジタルメモリを備え、前記複数の認証情報セットは前記デジタルメモリ内に保存され、前記マイクロコントローラは、前記第１の制御回路から受信された信号に応答して前記デジタルメモリから前記情報セットのうちの前記選択された１つを選択し、かつ前記電子ディスプレイアセンブリに前記認証情報セットのうちの前記選択された１つを表す情報を示させる、請求項１〜３のいずれかに記載の構成可能なスイッチアセンブリ。
【請求項５】
バルブ位置コントローラであって、
コントローラハウジングと、
前記コントローラハウジングによって担持されるスイッチと、
スイッチ制御回路であって、前記スイッチを制御するように配置され、かつ前記スイッチが予め選択された複数の異なるスイッチの種類のいずれかを選択的にエミュレートできるようにするために、使用者によって選択的に再構成されるように配置される、スイッチ制御回路と、
前記コントローラハウジングによって担持される電子ディスプレイアセンブリであって、異なる情報を選択的に表示するように配置される、電子ディスプレイアセンブリと、
ディスプレイ制御回路であって、前記電子ディスプレイアセンブリおよび前記スイッチ制御回路に作動するように接続され、複数の異なる情報セットにアクセスし、各情報セッ
トは前記スイッチの種類のうちの対応する１つの属性を含む、ディスプレイ制御回路と、を備え、
前記ディスプレイ制御回路は、前記スイッチがエミュレートするように構成されるスイッチの種類に対応する前記情報セットのうちの選択された１つを前記電子ディスプレイアセンブリに表示させる、バルブ位置コントローラ。
【請求項６】
前記スイッチは磁気近接スイッチを含む、請求項５に記載のバルブ位置コントローラ。
【請求項７】
前記スイッチ制御回路は複数の異なる回路のうちのいずれか１つを完結するために選択的に構成されるように配置される少なくとも１つのリードを備え、各々の回路は前記複数の異なるスイッチの種類のうちの異なる１つに対応する、請求項５または６に記載のバルブ位置コントローラ。
【請求項８】
前記近接スイッチ、前記コントローラハウジング、および前記電子ディスプレイアセンブリは１つ以上の危険区域内での使用のために等級付けられる、請求項５〜７のいずれかに記載のバルブ位置コントローラ。
【請求項９】
前記複数の情報セットの各々が、前記選択されたスイッチの種類が許容される使用のために等級付けられる危険区域（複数可）の前記種類を特定する前記対応スイッチの種類の認証情報を含む、請求項５〜８のいずれかに記載のバルブ位置コントローラ。
【請求項１０】
前記複数の異なるスイッチの種類が、誘導型スイッチ、ヌマー（ｎｕｍａｒ）スイッチ、ドライコンタクトスイッチ、ＰＮＰスイッチ、およびＮＰＮスイッチのうちの少なくとも１つを含む、請求項５〜９のいずれかに記載のバルブ位置コントローラ。
【請求項１１】
前記電子ディスプレイアセンブリは、
前記コントローラハウジングによって担持されるディスプレイハウジングと、
前記ディスプレイハウジング内に配設される電子ディスプレイスクリーンと、を備える、請求項５〜１０のいずれかに記載のバルブ位置コントローラ。
【請求項１２】
前記電子ディスプレイスクリーンは、液晶ディスプレイ、発光ダイオードディスプレイ、電界発光ディスプレイ、およびプラズマディスプレイのうちの少なくとも１つを含む、請求項５〜１１のいずれかに記載のバルブ位置コントローラ。
【請求項１３】
前記ディスプレイ制御回路は集積回路およびデジタルメモリを備え、前記複数の情報セットは前記デジタルメモリ内に保存され、前記集積回路は、前記スイッチ制御回路から受信される信号に応答して前記デジタルメモリから前記情報セットのうちの前記選択された１つを選択し、かつ前記電子ディスプレイアセンブリに前記情報セットのうちの前記選択された１つを表す情報を示させるように配置される、請求項５〜１２のいずれかに記載のバルブ位置コントローラ。
【請求項１４】
前記スイッチ制御回路はデジタルプロセッサおよび通信ポートを備え、前記デジタルプロセッサは、前記近接スイッチが前記選択されたスイッチの種類のうちの１つ以上を選択的にエミュレートできるように配置される回路を形成するようにソフトウェアプログラムによって構成されるように適合され、前記通信ポートは前記ソフトウェアプログラムが前記デジタルプロセッサへロードされ得るように適合される、請求項５〜１３のいずれかに記載のバルブ位置コントローラ。
【請求項１５】
構成可能なプロセス制御装置の認証情報を表示する方法であって、前記構成可能なプロセス制御装置は、フィールドデバイスと、予め選択された複数の構成のうちのいずれか１
つで構成されるように配置されて、前記フィールドデバイスに予め選択された異なる種類のプロセス制御装置のうちのいずれか１つをエミュレートさせるデバイス制御回路とを有し、
前記フィールドデバイスに前記異なる種類のプロセス制御装置のうちの第１の選択された１つをエミュレートさせるように前記デバイス制御回路を構成するステップと、
電子ディスプレイに前記フィールドデバイスを設けるステップと、
前記デバイス制御回路の前記構成に応答して第１の認証情報を表示するように前記電子ディスプレイを構成するステップと、を含む、方法。
【請求項１６】
前記構成可能なフィールドデバイスへ固定される前記電子ディスプレイを提供するステップをさらに含む、請求項１５に記載の方法。
【請求項１７】
前記フィールドデバイスは、スイッチアセンブリを含むバルブ位置コントローラを備える、請求項１５または１６に記載の方法。
【請求項１８】
前記スイッチアセンブリは磁気近接スイッチを備え、前記構成するステップは、複数の異なる可能な回路構成の１つを完結するために１つ以上の回路リードを構成するステップを含む、請求項１５〜１７のいずれかに記載の方法。
【請求項１９】
前記電子ディスプレイは、液晶ディスプレイ、発光ダイオードディスプレイ、電界発光ディスプレイ、およびプラズマディスプレイの少なくとも１つを備える、請求項１５〜１８のいずれかに記載の方法。
【請求項２０】
前記フィールドデバイスに前記異なる種類のプロセス制御装置の第２の選択された１つをエミュレートさせるように前記デバイス制御回路を再構成するステップと、
前記デバイス制御回路の前記再構成に応答して第２の認証情報を表示するように前記電子ディスプレイを再構成するステップと、をさらに含む、請求項１５〜１９のいずれかに記載の方法。
【発明の詳細な説明】
【技術分野】
【０００１】
本発明は、概ね、フィールドデバイスとフィールドデバイスの構成に関する情報を表示するための電子ディスプレイアセンブリを含む選択的に構成可能なプロセス制御装置に関する。
【背景技術】
【０００２】
工業プロセス制御環境においてしばしば、プロセス機器および／または配管に沿って配置される１つのプロセス制御機器が、この制御機器が最小限の作動基準に従って確実に作動するように、特定の最小限の性能特性を満たす必要がある。例により、このようなプロセス制御環境は、工業的処理、鉱業、製造、石油化学抽出、輸送、および精製、エネルギー生産設備等を含む場合がある。個々のプロセス制御機器は、「フィールドデバイス」と呼ばれることが多い。ある典型的な例示のフィールドデバイスは、センサ、スイッチ、バルブ制御装置、および／またはバルブを含む。これらの最小限の性能特性および最小限の作動基準は、一般的には、確実にプロセス制御環境が性能および／または安全のためのある所定の適用可能な基準を満たすようにすることを目的とする。
【０００３】
人がプロセス制御環境内にあるときに見えるように、しばしば、フィールドデバイスと直接的に、または直に関連するこれらの性能特性および／または作動基準に対して情報を提供する必要がある。例えば、このような情報は、特定のフィールドデバイスに固有の安全認証情報および／または他の情報を含むことが多い。
【０００４】
安全または認証情報をフィールドデバイスへ対応させるために、金属タグ等の銘板へ情報を記入するのが一般的である。さらに、銘板はフィールドデバイスへ直接固定される。例えば、発生し得る爆発条件の下で機能性を確保しなければならない環境においての使用のために等級付けられる近接センサスイッチについては、金属タグに認証情報が記載され、または刻印される。プロセス制御環境での使用中に見えるように、直接、タグを接着剤またはリベットで近接センサスイッチのハウジングの外部に固定する。この代わりに、認証情報を直接ハウジング上へ記入することができる。
【発明の概要】
【０００５】
認証情報を対応させるこの方法は、ただ１つの特定の方法で機能することができるフィールドデバイスには適しているが、従来の手法は、異なる認証要件を有する異なる方法で使用されるように構成され得るフィールドデバイスには不便であるか、または適していない。例えば、２種類以上のスイッチをエミュレートするために構成されるように適合される近接センサスイッチ等の構成可能なプロセス制御装置においては、異なる種類のスイッチをエミュレートするために、近接センサが構成され、または再構成されるごとに、適切な認証情報を表示するように銘板を変更する必要がある。使用者にとっては、これは費用がかかり、不便である。その結果、当該装置上に、または直に当該装置に対応する構成可能なプロセス制御装置についての情報を表示するシステムを改善する必要がある。
【０００６】
本開示のある態様によると、構成可能なプロセス制御装置は、複数の異なる種類のプロセス制御装置のいずれか１つをエミュレートするために、使用者によって選択的に構成され、または配置され得る１つ以上のフィールドデバイスを含む。構成可能なプロセス制御装置は電子ディスプレイアセンブリを有する。電子ディスプレイアセンブリは、フィールドデバイスがフィールドデバイスの特定の構成に応答してエミュレートするように構成された特定の種類のプロセス制御装置に関連する情報を表示するために動作可能なように配置される。非限定的例により、フィールドデバイスは、ＧＯ（商標）−スイッチ等の１つ
以上の近接スイッチを含んでもよく、また近接スイッチは、誘導型スイッチ、ヌマー（ｎｕｍａｒ）スイッチ、ドライコンタクトスイッチ、ＰＮＰスイッチ、および／またはＮＰＮスイッチ等の異なる種類のプロセス制御装置をエミュレートするように構成されてもよい。
【０００７】
１つの例示的態様においては、複数の使用環境において使用するための構成可能なプロセス制御装置が開示される。構成可能なプロセス制御装置が使用される使用環境に応じて、構成可能なプロセス制御装置とともに、所定の複数の認証のうちの少なくとも１つを表示しなければならない。構成可能なプロセス制御装置は、フィールドデバイス、第１の制御回路、電子ディスプレイアセンブリ、および第２の制御回路を含む。第１の制御回路は作動するようにフィールドデバイスへ連結される。第１の制御回路はフィールドデバイスを制御し、フィールドデバイスが複数の異なるプロセス制御装置の種類のうちのいずれかを選択的にエミュレートするために再構成されるように配置される。電子ディスプレイアセンブリは異なる情報を選択的に表示するように配置される。第２の制御回路は、電子ディスプレイアセンブリと第１の制御回路へ作動するように連結される。第２の制御回路は、複数の異なる認証情報セットにアクセスし、各々の認証情報はプロセス制御装置の種類のうちの異なる１つに対応する。第２の制御回路は、エミュレートするために、フィールドデバイスが選択されたプロセス制御装置の種類に対応する認証情報のセットの選択された１つを電子ディスプレイアセンブリに表示させる。
【０００８】
他の例示的態様によると、バルブ位置コントローラは、コントローラハウジング、コントローラハウジングによって担持されるスイッチ、スイッチ制御回路、電子ディスプレイアセンブリ、およびディスプレイ制御回路を含む。スイッチ制御回路はスイッチを制御するように配置され、予め選択された複数の異なるスイッチの種類のうちのいずれかをスイッチに選択的にエミュレートさせるために、使用者によって選択的に再構成されるように配置される。電子ディスプレイアセンブリはコントローラハウジングによって担持され、異なる情報を選択的に表示するように配置される。ディスプレイ制御回路は、電子ディスプレイアセンブリとスイッチ制御回路へ作動するように接続される。ディスプレイ制御回路は、複数の異なる情報セットへアクセスし、各々の情報セットはスイッチの種類のうちの対応する１つの属性を含む。ディスプレイ制御回路は、電子ディスプレイアセンブリに、エミュレートするためにスイッチが構成されるスイッチの種類に対応する情報のセットのうちの選択された１つを表示させる。
【０００９】
さらなる例示的態様によると、構成可能なプロセス制御装置のための認証情報を表示する方法が開示される。構成可能なプロセス制御装置はフィールドデバイスとデバイス制御回路を含む。デバイス制御回路は、プロセス制御装置の予め選択された複数の異なる種類のうちのいずれか１つをフィールドデバイスにエミュレートさせる予め選択された複数の構成のうちのいずれか１つで構成されるように配置される。この方法は、プロセス制御装置のうちの第１の選択された１つをフィールドデバイスにエミュレートさせるデバイス制御回路を構成するステップと、電子ディスプレイにフィールドデバイスを設けるステップと、デバイス制御回路の構成に応答して、第１の認証情報を表示する電子ディスプレイを構成するステップを含む。
【００１０】
前述の態様の１つ以上によると、構成可能なプロセス制御装置および／または構成可能なプロセス制御装置のための認証情報を表示する方法は、さらに以下の好ましい形式および／または特徴のいずれか１つ以上を含んでもよい。
【００１１】
フィールドデバイスは、スイッチアセンブリまたはスイッチを含んでもよく、これらは磁気近接スイッチを含んでもよい。フィールドデバイスはバルブ位置コントローラを含んでもよい。フィールドデバイス、スイッチハウジング、および／または電子ディスプレイ
アセンブリは、危険区域での使用のために等級付けられてもよい。
【００１２】
スイッチ制御回路は第１の制御回路を形成してもよい。第１の制御回路は、複数の異なる回路のうちのいずれか１つを完結するように選択的に構成されるように配置される少なくとも１つのリードを含んでもよく、各々回路は、誘導型スイッチ、ヌマー（ｎｕｍａｒ）スイッチ、ドライコンタクトスイッチ、ＰＮＰスイッチ、および／またはＮＰＮスイッチ等の予め選択された複数の異なるスイッチの種類のうちの１つに対応してもよい。第１の制御回路はデジタルプロセッサを含んでもよい。デジタルプロセッサは、フィールドデバイスが異なるスイッチの種類等のプロセス制御装置のうちの選択された種類の１つ以上を選択的にエミュレートできるようにするために配置される回路を形成するように、ソフトウェアプログラムによって構成されるように適合されてもよい。第１の制御回路は通信ポートを含んでもよい。第１の制御回路は、ソフトウェアプログラムがデジタルプロセッサへロードされるように適合されてもよい。第１の制御回路は、プロセス制御装置に、異なる種類のプロセス制御装置の少なくとも第２の選択された１つをエミュレートさせるように選択的に構成されてもよい。
【００１３】
情報セットの各々は、異なるスイッチの種類等のプロセス制御装置の異なる種類のうちの対応する１つの認証情報を含んでもよい。認証情報は、選択されたスイッチの種類が許容可能な使用について等級付けられる危険区域または複数の区域の種類を特定してもよい。
【００１４】
電子ディスプレイアセンブリは、スイッチハウジングによって担持されるディスプレイハウジングを含んでもよい。電子ディスプレイアセンブリは電子ディスプレイスクリーンを含んでもよい。電子ディスプレイスクリーンは、ディスプレイハウジングの内部に配設されてもよい。電子ディスプレイスクリーンは、液晶ディスプレイ、発光ダイオードディスプレイ、電界発光ディスプレイ、および／またはプラズマディスプレイを含んでもよい。ディスプレイアセンブリの１つ以上の部分は、プロセス制御装置へ固定されてもよい。電子ディスプレイアセンブリは、デバイス制御回路の再構成に応答して第２の認証情報を表示するように再構成されてもよい。
【００１５】
ディスプレイ制御回路は第２の制御回路を形成してもよい。ディスプレイ制御回路は、集積回路等のマイクロコントローラ、さらにオプションとしてのデジタルメモリを含んでもよい。情報セットはデジタルメモリに保存されてもよい。マイクロコントローラは、第１の制御回路および／またはフィールドデバイスから受信された信号に応答してデジタルメモリから情報セットのうちの選択された１つを選択し、電子ディスプレイアセンブリに情報セットのうちの選択された１つを表す情報を示させるように配置されてもよい。
【００１６】
構成可能なプロセス制御装置はハウジングを含んでもよい。電子ディスプレイアセンブリの１つ以上の部分はハウジングによって担持されてもよい。
【００１７】
さらなる任意の態様と特徴が開示されるが、これらは機能的に適切な方法で、単独で、または機能的に実行可能な組み合わせで配置され、開示の教示と一致してもよい。他の態様および利点は、以下の詳細な説明を考慮すると明確になる。
【図面の簡単な説明】
【００１８】
【図１】本発明の数種の態様にかかる構成可能なプロセス制御装置の概略図である。
【図２Ａ】例示のバルブ、バルブアクチュエータ、および本開示の教示にかかる電子ディスプレイを含む構成可能なバルブ位置コントローラの等角図である。
【図２Ｂ】図２Ａの構成可能なバルブ位置コントローラの内部の等角図である。
【図３】図１の構成可能なプロセス制御装置および図２の構成可能なバルブ位置コントローラの各々に適用可能な機能的概略図である。
【発明を実施するための形態】
【００１９】
ここで図面に注目すると、図１は、危険使用環境の異なる種類内等の、複数の異なる使用環境のいずれかで使用されるように構成され得る構成可能なプロセス制御装置１０を示す。予め選択された複数の認証のうちの１つは、構成可能なプロセス制御装置１０とともに表示される。どの認証が表示されるかは、構成可能なプロセス制御装置１０が使用されるように構成される使用環境によって異なる。
【００２０】
構成可能なプロセス制御装置１０は、フィールドデバイス１２、第１の制御回路１４、電子ディスプレイアセンブリ１６、および第２の制御回路１８を含む。フィールドデバイス１２は、２つ以上の異なる種類のプロセス制御装置のうちのいずれかをエミュレートするように構成されてもよい。第１の制御回路１４は、作動するようにフィールドデバイス１２へ接続され、フィールドデバイスの作動を制御するように配置される。さらに、第１の制御回路１４は、フィールドデバイス１２にプロセス制御装置の種類のうちのいずれか選択された１つをエミュレートさせるために、使用者によって選択的に構成および／または再構成されるように配置される。電子ディスプレイアセンブリ１６は、選択された種類のプロセス制御装置に関連する異なる情報を表示するように配置される。第２の制御回路１８は作動するように電子ディスプレイアセンブリ１６に連結される。第２の制御回路は、第１の制御回路１４および／またはフィールドデバイス１２に作動するように連結されて、どの種類のプロセス制御装置がエミュレートされているかを検知する。第２の制御回路１８も、認証情報セット等の複数の異なる情報セットにアクセスして、ここで、各々の情報セットは異なる種類のプロセス制御装置の異なる１つに対応する。第２の制御回路１８は、電子ディスプレイアセンブリ１６に、フィールドデバイス１２がエミュレートするために構成された選択された種類のプロセス制御装置に対応する認証情報セットの選択された１つを表示させるように配置される。
【００２１】
フィールドデバイス１２は、工業プロセス制御システムまたは環境において使用され、プロセス配管および／またはプロセス機器に沿って配置される装置である。ある種の例示的配置においては、フィールドデバイス１２はレベルトランスミッタ、流量トランスミッタ、圧力トランスミッタ、スイッチ、センサ、バルブ、バルブアクチュエータ、および／または、これらの組み合わせ、あるいは下位組み合わせであってもよい。１例においては、フィールドデバイス１２は１つ、２つ、またはさらに多くの近接センサスイッチを含み、この場合に、近接センサスイッチは、原子力エネルギー施設、石油化学抽出および精製施設、地下および深海環境、および／または鉱山施設等の様々な危険条件での使用のために等級付けられてもよい。１つの選択的例示配置においては、フィールドデバイス１２は、Ｅｍｅｒｓｏｎ  Ｐｒｏｃｅｓｓ  ＭａｎａｇｅｍｅｎｔのＴｏｐＷｏｒｘによって作成されたＧＯ  Ｓｗｉｔｃｈ（商標）等の１つ以上の磁気近接センサスイッチを含む。プロセス制御システムまたは環境の数種の非限定的例は、石油化学精製、石油化学抽出および／または石油化学輸送システム；化学プラント内の化学プロセスフロー配列；工業用途における水配管および／または蒸気配管；および、エネルギー生産施設、製造施設、および資源抽出施設等の様々な工業施設における他の種類の制御されたプロセスフロー配置および／または配管を含む。
【００２２】
第１の制御回路１４は、使用者によって構成および／または再構成され得る電気回路である。例えば、フィールドデバイス１２が１つ以上の近接センサスイッチを含む場合には、使用者は、第１の制御回路１４を構成して、２線近接スイッチ、誘導型スイッチ、ヌマー（ｎｕｍａｒ）スイッチ、ドライコンタクトスイッチ、ＰＮＰスイッチ、および／またはＮＰＮスイッチ等の異なる種類のスイッチを近接センサスイッチにエミュレートさせることができる。第１の制御回路１４は、アナログ回路、デジタル回路、またはアナログお
よびデジタル回路の組み合わせであってもよい。例えば、ワイヤ、スイッチ接続、および／またはアナログ回路の他の物理的回路コンポーネントを物理的に操作することによって、第１の制御回路１４が物理的に構成されてもよく、および／または、例えば、ソフトウェアコマンドコーディングをアップロードまたは提供して、デジタルマイクロコントローラ等を構成することにより、第１の制御回路１４がデジタル的に構成されてもよい。１つの例示的配置においては、第１の制御回路１４はアナログ回路を含み、この場合に、ジャンパーワイヤ等の１つ以上の再構成可能な回路コネクタまたはリードが使用者によって選択的に構成されて、複数の異なる電気回路のいずれかの１つ以上を完結することができる。各々の異なる回路は、フィールドデバイス１２に異なる種類のプロセス制御装置をエミュレートさせて、その各々は安全認証情報等の異なる情報と関連付けられ、構成可能なプロセス制御装置１０により表示される。例えば、第１の制御回路１４は３つの異なる構成可能な回路１４ａ、１４ｂ、１４ｃを含んでもよい。各々の構成可能な回路１４ａ、１４ｂ、１４ｃは各々のジャンパーワイヤ１５ａ、１５ｂ、１５ｃにより選択的に開かれ、または閉じられてもよい。例えば、ジャンパーワイヤ１５ａで回路を閉じることにより、構成可能な回路１４ａのみが完結される場合には、フィールドデバイス１２はドライコンタクトスイッチ等の種類の第１のプロセス制御装置をエミュレートする。例えば、ジャンパーワイヤ１５ｂで回路を閉じることにより、構成可能な回路１４ｂのみが完結される場合には、構成可能なフィールドデバイス１２はヌマー（ｎｕｍａｒ）スイッチ等の種類の第２のプロセス制御装置をエミュレートする。例えば、ジャンパーワイヤ１５ｃで回路を閉じることにより、第３の構成可能な回路１４ｃのみが完結される場合には、フィールドデバイス１２はＰＮＰスイッチ等の種類の第３のプロセス制御装置をエミュレートする。完結された回路１４ａ〜１４ｃの様々な組み合わせもまた考慮される。
【００２３】
電子ディスプレイアセンブリ１６は、好ましくは、発光ダイオード（ＬＥＤ）ディスプレイ、液晶ディスプレイ（ＬＣＤ）、電界発光ディスプレイ、プラズマディスプレイ、および／または他の種類の電子ディスプレイ等の、多くの異なる種類のテキストおよび／または図形情報を選択的に表示するように適合される電子ディスプレイを含む。電子ディスプレイアセンブリ１６は、第１の制御回路１４の構成によってエミュレートするようにフィールドデバイス１２が選択されたどの種類のプロセス制御装置かに応答して選択された情報を電子ディスプレイに表示させるように適合される方法で、フィールドデバイス１２および／または第１の制御回路１４へ作動するように連結される。どの情報が表示されるかは、プロセス制御装置の選択された種類によって異なる。
【００２４】
第２の制御回路１８は、エミュレートするために、電子ディスプレイアセンブリ１６にフィールドデバイス１２が選択されたプロセス制御装置の種類に関する適正な選択された情報を表示させることができる電子回路の形式を採用してもよい。第２の制御回路１８は、第１の制御回路１４に組み合わされても、または、第１の制御回路１４から分離されてもよい。１つの配置においては、第２の制御回路１８はデジタルマイクロコントローラ１８ａとデジタルメモリ１８ｂを含む。デジタルマイクロコントローラ１８ａは、電子ディスプレイアセンブリ１６と第１の制御回路１４へ作動するように接続される。デジタルメモリ１８ｂは、フィールドデバイス１２がエミュレートするように構成され得るプロセス制御装置の異なる種類の各々とともに使用するために適した様々な情報セットを保存するために配置される。マイクロコントローラ１８ａは、第１の制御回路１４の構成に応答して適切な情報セットまたは複数のセットを選択するように配置される回路を含む。マイクロコントローラ１８ａは、電子ディスプレイアセンブリ１６に電子ディスプレイ上で選択された情報のセットまたは複数のセットを表示させるように配置される回路を含む。デジタルマイクロコントローラ１８ａおよび／またはデジタルメモリ１８ｂは、１つ以上の集積回路とともに形成されてもよい。デジタルマイクロコントローラ１８ａがデジタルメモリ１８ｂへアクセスできて、デジタルメモリ１８ｂから選択された情報のセットまたは複数のセットを検索できれば、デジタルマイクロコントローラ１８ａとデジタルメモリ１８
ｂは、組み合わされても、分離されてもよい。
【００２５】
１つの任意の配置においては、第２の制御回路１８によって保存され、および／またはアクセスされる情報のセットは、異なるプロセス制御装置の種類のいずれかをエミュレートするために構成される場合に、構成可能なプロセス制御装置１０がどの環境で使用される可能性があるかに関する安全認証情報を含む。例えば、フィールドデバイス１２が様々な異なる危険または安全限界作動環境においての使用のために認証される異なる種類のスイッチをエミュレートするように構成され得る近接センサスイッチを含む場合には、情報セットは、各種類のスイッチが使用のために認証される作動環境に関する認証情報を含んでもよい。第１の制御回路１４が、爆発状況の下で特定の作動特性を必要とする環境での使用のために認証されるスイッチ等の第１の種類のスイッチをフィールドデバイス１２にエミュレートさせるように構成される場合には、マイクロコントローラ１８は、その第１の種類のスイッチに対する認証情報を電子ディスプレイアセンブリ１６により表示するように配置される。同様に、第１の制御回路１４が、原子力発電所内で特定の作動特性を必要とする環境での使用のために認証されるスイッチ等の第２の種類のスイッチをフィールドデバイス１２にエミュレートさせるように構成される場合には、マイクロコントローラ１８は、その第２の種類のスイッチに対する認証情報を電子ディスプレイアセンブリ１６により表示するように配置される。当然ながら、この例は、異なる種類のプロセス制御装置と異なる認証情報セットのいずれかの実行可能な数量へ拡張可能である。このように、フィールドデバイス１２は、複数の異なる種類のプロセス制御装置のうちのいずれか選択された１つをエミュレートするように構成され得て、電子ディスプレイアセンブリ１６は、選択された種類のプロセス制御装置に対する適切な情報を表示するように配置される。
【００２６】
数種の任意の配置においては、構成可能なプロセス制御装置１０は、バルブ、パイプ、バルブアクチュエータ、タンク、ポンプ、および／または、プロセス制御システムの他のコンポーネント等の、取付け構造への取付けのために適した単一のユニットとして、電子ディスプレイアセンブリ１６とフィールドデバイス１２を担持する少なくとも１つのハウジング２０を含む。好ましい任意の配置においては、ハウジング２０は、単一のユニットとして、フィールドデバイス１２、第１の制御回路１４、電子ディスプレイアセンブリ１６、および第２の制御回路１８の各々を担持、および／または接続するように配置される。ハウジング２０は、追加のコンポーネントを担持しても、および／または、１つ以上のコンポーネントはハウジング２０から離れていてもよい。
【００２７】
構成可能なプロセス制御装置１０は、好ましくは、第１および第２の制御回路１４および１８、フィールドデバイス１２（該当する場合）、および／または電子ディスプレイアセンブリ１６のいずれかの組み合わせ、または全てに電力供給するために、電源２２へのアクセスを含む。電源２２は、構成可能なプロセス制御装置１０の選択されたコンポーネントへ電力供給するために充分ないずれかの形態であってもよい。電源２２は、外部電源回路２２ａと内部電源回路２２ｂの片方または両方を含む。外部電源回路２２ａは、例えば、発電所の電力系統からＡＣおよび／またはＤＣ電源を受電し、受電した電力を、低電圧ＤＣ電力流れへ変換される等により、使用に適した形態で様々なコンポーネント１２、１４、１６、１８へ提供するように配置される。内部電源回路２２ｂは、一次電源を供給するためのバッテリおよび／または外部電源回路２２ａからの一次電源の欠損時にバックアップ電源を供給するように配置されるバッテリバックアップシステム等の様々なコンポーネント１２、１４、１６、１８へ電力供給するように配置される。好ましい任意の配置においては、電源２２は、例えば、発電所電力の停電時に無停電電力を供給するために、発電所電力への接続のための外部電源回路２２ａと内部バッテリバックアップ電力回路２２ｂを含む。
【００２８】
図２Ａは、流量制御バルブ１１３の内部の流量制御部材（見えない）の位置を制御する
ために、流量制御バルブ１１３へ作動するように接続されるアクチュエータ１１１のためのバルブ位置コントローラ１１０の形式の構成可能なプロセス制御装置１０の１つの例示的配置を示す。位置コントローラ１１０は、好ましくは、バルブアクチュエータ１１１の位置を検知し、バルブアクチュエータの位置、また拡張して、流量制御部材の位置を表示するように適合される。好ましい配置においては、バルブアクチュエータの位置は、バルブアクチュエータ１１１に作動するように取り付けられたインジケータステム（図示なし）へ取り付けられるインジケータ１１５等の可視ディスプレイによりバルブアクチュエータの位置は見えるように表示される。インジケータ１１５は回転して、「閉」表示または「開」表示を示し、これにより、バルブが各々開放しているか閉止しているかを示しているのが見える。位置コントローラ１１０は、選択的にバルブアクチュエータ１１１へもバルブ位置決め指示を提供し、および／または他のコマンドおよび／または目的を達成する。ある種の配置における位置コントローラ１１０は、ケンタッキー州、ルイスビルのＴｏｐＷｏｒｘ，Ｉｎｃ．によるＶａｖｌｅｔｏｐ（登録商標）バルブコントローラである。位置コントローラ１１０は、異なる種類の危険使用環境または区域内での使用のために適合されてもよい。このように適合される場合には、位置コントローラ１１０は、一般には位置コントローラが使用に際して認証されるのはどの危険区域であるかの表示を目に見えるように示す必要がある。
【００２９】
図２Ｂにおいて最も示されるように、位置コントローラ１１０は、コントローラハウジング１２０の形式のハウジング２０、１つ以上の形式のスイッチ１１２ａ、１１２ｂの形式のフィールドデバイス１２、スイッチ制御回路１１４の形式の第１の制御回路１４、電子ディスプレイアセンブリ１１６、ディスプレイ制御回路１１８の形式の第２の制御回路１８、および外部電源へ接続するための電源モジュール１２２を含む。スイッチ１１２ａ、１１２ｂが構成および／または再構成されて、複数の異なる種類のスイッチ（「エミュレートされたスイッチ」）をエミュレートできるように、コンポーネント１１２ａ、ｂ、１１４  １１６、１１８は配置され、電子ディスプレイアセンブリ１１６は、選択されたエミュレートされたスイッチに関連する安全認証情報等の情報を表示する。このように、位置コントローラ１１０は、異なる種類の用途に使用されてもよく、また適正な認証情報は、物理的に識別および／または認証タグまたは銘板を取り外して交換する必要なく、電子ディスプレイアセンブリ１１６上に表示される。
【００３０】
スイッチ１１２ａ、１１２ｂおよび／または電子ディスプレイアセンブリ１１６等の少なくとも１つ以上のコンポーネントは、スイッチハウジング１２０によって担持される。１つの任意の配置においては、スイッチハウジング１２０は、図２Ａおよび２Ｂに示されるように、密封または解放可能な箱状筐体の形式等での構成可能なスイッチアセンブリのコンポーネント１１２ａ、ｂ、１１４  １１６、１１８、１２２全てを担持するサイズである。スイッチ１１２ａ、１１２ｂ、スイッチ制御回路１１４、ディスプレイ制御回路１１８、および電源モジュール１２２は、コントローラハウジング１２０の本体部１２０ａによって画定される内部チャンバー１２４の内側に担持され、コントローラハウジング１２０は、湿気および／または汚れが内部チャンバー１２４の内部に浸入するのを防止するために選択的に密封される。コントローラハウジング１２０の本体部１２０ａのみが図２Ｂに示されていて、コントローラハウジング１２０のカバー１２０ｂが覆うために、また好ましくは、図２Ａに示されるように、スイッチハウジング１２０の内部チャンバー１２４を密封するために使用されることが理解される。穴１２５は、インジケータステムを受容するために配置される。穴１２５は、コントローラハウジング１２０の中央部を通って延在するが、他の場所に配設されてもよい。穴１２５は、好ましくは、内部チャンバー１２４から密封される。他の任意の配置においては、スイッチ制御回路１１４、ディスプレイ制御回路１１８、および／または電源モジュール１２２等の１つ以上のコンポーネントは、コントローラハウジング１２０から離れて配置されてもよく、また、例えば、バスまたは他のデータおよび／または電源接続へ機能的に接続されてもよい。
【００３１】
スイッチ制御回路１１４は、スイッチ１１２ａ、１１２ｂの作動を制御するように配置される。スイッチ１１２ａ、１１２ｂが予め選択された複数の異なるスイッチ（「選択されたエミュレートされたスイッチ」）の種類のうちのいずれか選択された１つをエミュレートするように、スイッチ制御回路１１４は、使用者によって選択的に構成および／または再構成されるように配置される。１つの任意の配置においては、スイッチ制御回路１１４は、多くの異なる回路のうちのいずれか１つを完結するために、印刷回路基板、および、使用者によって選択的に操作され構成され得るジャンパー等の少なくとも１つ以上のリード１１４ａ、１１４ｂを含み、各々の回路は、スイッチ１１２ａ、１１２ｂに、スイッチの種類のうちの異なる１つをエミュレートさせるように配置される。数種の任意の配置においては、スイッチ制御回路１１４は、さらに、または、上記に代えて、スイッチ１１２ａ、１１２ｂが選択されたスイッチの種類の１つ以上を選択的にエミュレートできるように配置される回路を形成するために、１つ以上のソフトウェアプログラムによって構成されるように適合されるデジタルプロセッサを含む。数種の配置においては、スイッチ制御回路１１４は、ジャンパースイッチを使用する代わりに、例えば、ＧＯ（商標）スイッチを制御する回路基板内に差し込む挿入可能なメモリチップまたはカードを含む。任意に、スイッチ制御回路１１４およびディスプレイ制御回路１１８は、単一のマザーボード、集積回路チップ、および／またはチップセットに組み込まれてもよい。
【００３２】
数種の任意の配置においては、通信モジュール１２６はコントローラハウジング１２０によって、好ましくは、内部チャンバー１２４内で担持される。通信モジュール１２６は、任意に作動できるように、スイッチ制御回路１１４およびディスプレイ制御回路１１８の一方または両方に接続される。通信モジュール１２６は、外部制御モジュール、センサモジュール、通信モジュール、または他の通信装置へ、通信信号を送信、および／または、通信装置から受信するように配置される。図２Ａに示されるように、通信モジュール１２６は、任意に、１つ以上のアナログまたはデジタル外部通信ライン１３０への作動接続のために配置されるポート１２８を含む。通信モジュール１２６は、好ましくは、ソフトウェアプログラムおよび／または情報セットがデジタルプロセッサおよび／またはディスプレイ制御回路１１８へロードされるように適合される。通信モジュール１２６は、通信ライン１３０を介してリモートインターネット接続またはバスへのポート１２８を通して、無線データ転送接続、または、スイッチ制御回路１１４および／またはディスプレイ制御回路１１８へ選択されたソフトウェアおよび／またはデータを充分にロードできるいずれかの他の配置を通して等の、直接的配線接続を提供してもよい。スイッチ制御回路１１４は、印刷回路基板等の配線回路、およびデジタルプロセッサ等のソフトウェア制御回路の両方、ならびに／または他の種類の制御回路の１つ以上の組み合わせを任意に含んでもよい。
【００３３】
数種の任意の配置においては、ポート１２８は、工場電源等の外部電源へ接続するように適合される。ポート１２８が、例えば、通信ライン１３０によりバスへ接続される場合には、ポート１２８は、電源モジュール１２２へ電力を供給するために、作動するように電源モジュール１２２へ接続される。
【００３４】
電子ディスプレイアセンブリ１１６は、テキストおよび／または図形を含む異なる情報を選択的に表示するように配置される。１つの任意の配置においては、電子ディスプレイアセンブリ１１６は、ディスプレイハウジング内に配設されるコントローラハウジング１２０および電子ディスプレイスクリーン１１６ｂによって担持されるディスプレイハウジング１１６ａを含む。好ましくは、電子ディスプレイスクリーン１１６ｂは、ＬＣＤ、ＬＥＤ、電界発光ディスプレイ、および／またはプラズマディスプレイのうちの少なくとも１つを含む。但し、電子ディスプレイアセンブリ１１６は、本文に記載されるような様々な情報セットの情報を分かりやすく表示するために充分ないずれかの形態を採用してもよ
い。
【００３５】
ディスプレイ制御回路１１８は、作動するように、電子ディスプレイアセンブリ１１６へ、またスイッチ制御回路１１４へ接続される。ディスプレイ制御回路１１８には、複数の異なる情報セットが設けられ、および／またはアクセス可能であり、ここで、異なる情報セットのうちの少なくとも１つはエミュレートされたスイッチの各々に対応する。情報セットは、好ましくは、ディスプレイ制御回路１１８の一部であり、および／または対応する電子メモリ内に保存される。各々の情報セットは、対応するエミュレートされたスイッチの属性に対する情報を含み、好ましくは、例えば、識別情報、スイッチの種類の情報、作動特性情報、および／または安全認証情報を含む。１つの配置においては、各々の情報セットは、高リスク爆発性区域、原子力区域、高圧地下区域、厳しい化学区域等における使用のために、どのエミュレートされたスイッチがどの種類の危険作動環境で認証されるかを含む安全認証情報を含む。例えば、数種の配置における安全認証情報は、アンダー・ライターズ（Ｕｎｄｅｒｗｒｉｔｅｒｓ  Ｌａｂｏｒａｔｏｒｉｅｓ（「ＵＬ」））、欧州連合（Ｃｏｎｆｏｒｍｉｔｅ  Ｅｕｒｏｐｅｅｎｎｅ（「ＣＥ」））、国際電気標準学会（Ｉｎｔｅｒｎａｔｉｏｎａｌ  Ｅｌｅｃｔｒｏｔｅｃｈｎｉｃａｌ  Ｃｏｍｍｉｓｓｉｏｎ（「ＩＥＣ」））、ＩＥＣＥｘまたはＡＴＥＸ（「Ｅｘ」）、カナダ原子力公社（Ａｔｏｍｉｃ  Ｅｎｅｒｇｙ  ｏｆ  Ｃａｎａｄａ  Ｌｉｍｉｔｅｄ（「ＡＥＣＬ」））、電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（「ＩＥＥＥ」））等からの、様々な民間および政府機関により定義される安全認証仕様および／または他の技術規格、および／または指令に対応する。安全認証情報は、好ましくは、バルブおよびプロセス制御産業において理解されるように、区域の分類、区分、グループ、ゾーン、種類、保護方法等の、各機関および／または指令のために、位置コントローラ１１０が満たす仕様および／または規格を含む。追加のおよび／または代替の情報にこの情報セットが提供されてもよく、好ましくは、対応するエミュレートされたスイッチに関する該当する情報を提供する。ディスプレイ制御回路１１８は、電子ディスプレイアセンブリ１１６に、スイッチ制御回路１１４の構成（または再構成）に応答して選択されたエミュレートされたスイッチに対応する情報セットのうちの選択された１つを表示させて、スイッチ１１２ａ、１１２ｂに選択されたエミュレートされたスイッチをエミュレートさせるように配置される。
【００３６】
１つの任意の配置においては、スイッチ１１２ａ、１１２ｂは、本文において前述されたＧＯスイッチ等の磁気近接スイッチである。好ましい任意の配置においては、スイッチ制御回路１１４は、スイッチ１１２ａ、１１２ｂに、誘導型スイッチ、ヌマー（ｎｕｍａｒ）スイッチ、ドライコンタクトスイッチ、ＰＮＰスイッチ、ＮＰＮスイッチ、および／または他の種類のスイッチのうちの１つ以上をエミュレートさせるように選択的に構成および／または再構成され得る。
【００３７】
１つの任意の配置においては、スイッチ１１２ａ、１１２ｂ、スイッチハウジング１２０、および電子ディスプレイアセンブリ１１６は、１つ以上の異なる危険区域内での使用のために等級付けられる。例えば、位置コントローラ１１０は、ＡＴＥＸ、ＩＥＣＥｘ、および／または他の規格団体によって定義される等の、引火性ガス、蒸気、または液体ゾーン、可燃性塵埃ゾーン、発火性繊維ゾーン等がある区域内での使用のために等級付けられてもよい。１つの任意の好ましい配置においては、複数の情報セットの各々は、選択されたエミュレートされたスイッチの種類が許容可能な使用について等級付けられる危険区域または複数の区域の種類を特定する対応するエミュレートされたスイッチの種類についての認証情報を含む。
【００３８】
１つの任意の配置においては、電子ディスプレイアセンブリ１１６は、スイッチハウジング１２０の外部壁上、好ましくは、本体部１２０ａの上に配設され、構成可能なプロセ
ス制御装置１１０が取付け構造部へ取り付けられると、人によって容易に見えるように配置される。スイッチ１１２ａ、１１２ｂと第１および第２の制御回路１１４および１１８は、内部チャンバー１２４の内部等のスイッチハウジング１２０の内部に配設される。
【００３９】
１つの任意の配置においては、ディスプレイ制御回路１１８は、マイクロコントローラ、およびデジタルメモリ等の集積回路を含む。デジタルメモリは、集積回路１１８の一部であってもよく、またはデジタルメモリは集積回路から離れて、作動するようにデジタルメモリに接続されてもよい。情報セットはデジタルメモリ内に保存される。集積回路は、スイッチ制御回路１１４から受信される信号に応答して、デジタルメモリから情報セットのうちの適切な対応する１つを選択し検索するように配置される。集積回路は、電子ディスプレイアセンブリ１１６に、例えば、電子ディスプレイスクリーン１１６ｂ上に情報セットのうちの選択された１つを表す情報を表示させるように配置される。
【００４０】
機能的には、構成可能なプロセス制御装置１０および構成可能なスイッチアセンブリ１１０の各々は、図３に示されるように想起される場合がある。簡略化のために、以下の説明も同様に位置コントローラ１１０にも同様に適用することを理解した状態で、以下の説明では構成可能なプロセス制御装置１０のみを参照する。第１の制御回路１４は、構成可能な回路１４ａ、１４ｂ、１４ｃのうちのいずれか１つを完結するように構成されてもよい。構成可能な回路１４ａ〜ｃの各々は、フィールドデバイス１２に異なる対応するプロセス制御装置の種類１２ａ、１２ｂ、１２ｃをエミュレートするように機能させる。第２の制御回路１８は、機能的に第１の制御回路１４および／またはフィールドデバイス１２と接続され、プロセス制御装置の種類１２ａ〜ｃのどれがエミュレートされているかを検知するように配置される。第２の制御回路１８も、作動するように電子ディスプレイアセンブリ１６の電子ディスプレイへ接続され、対応するプロセス制御装置の種類１２ａ〜ｃのどれがエミュレートされているかによって、電子ディスプレイに異なる対応する情報セット２４ａ、２４ｂ、２４ｃのいずれか１つを表示させるように配置される。使用者が、例えば、ジャンパー１５を配置して回路１４ａを閉じることにより、第１の構成可能な回路１４ａを完結するように第１の制御回路１４を構成または再構成する場合には、フィールドデバイス１２は第１のプロセス制御装置の種類１２ａをエミュレートするように機能し、第２の制御回路１８は電子ディスプレイアセンブリ１６に第１の情報セット２４ａを表示させる。使用者が、例えば、ジャンパー１５を配置して回路１４ｂを閉じることにより、第２の構成可能な回路１４ｂを完結するように第１の制御回路１４を構成または再構成する場合には、フィールドデバイス１２は第２のプロセス制御装置の種類１２ｂをエミュレートするように機能し、第２の制御回路１８は電子ディスプレイアセンブリ１６に第２の情報セット２４ｂを表示させる。同様に、例えば、ジャンパー１５を配置して回路１４ｃを閉じることにより、第３の回路１４ｃを完結するように第１の制御回路１４を構成または再構成すると、または構成可能な回路を追加すると、フィールドデバイス１２は、対応するプロセス制御装置の種類（例えば、１２ｃ）をエミュレートするように機能し、第２の制御回路１８は電子ディスプレイアセンブリ１６上に対応する情報セット（例えば、２４ｃ）を表示する。
【００４１】
構成可能なプロセス制御装置１０および／または位置コントローラ１１０等の本開示の構成可能なプロセス制御装置の例示の使用方法においては、複数の異なる種類のプロセス制御装置のうちのいずれか１つに対応する認証情報は、物理的に銘板を取り外しおよび／または交換する必要なく、第１の制御回路１４の構成に応答して電子ディスプレイアセンブリ１６上に表示されてもよい。使用者は、フィールドデバイス１２に異なる種類のプロセス制御装置（例えば、１２ａ）のうちの第１の選択された１つをエミュレートさせるように第１の制御回路１４を構成する。任意に、第１の制御回路１４を構成することは、複数の異なる可能な回路構成のうちの１つを完結するために、ジャンパー等の、第１の制御回路１４の１つ以上の回路リードを構成することを含む。電子ディスプレイアセンブリ１
６は、第１の制御回路１４の構成に応答して第１の認証情報を表示するように自動的に構成される。使用者は、フィールドデバイス１２に異なる種類のプロセス制御装置のうちの少なくとも第２の選択された１つをエミュレートさせるように制御回路１４を構成してもよく、また、電子ディスプレイは、デバイス制御回路の構成に応答して、第２の認証情報を表示するように自動的に構成される。この方法は、同様な方法で、追加の種類のプロセス制御装置および対応する情報セットについて繰り返されてもよい。
【００４２】
数種の配置においては、位置コントローラ１１０および／または他の構成可能なプロセス制御装置１０は、電子ディスプレイ１１６、１６上に表示される情報を永続的に固定するように配置されて、最初に、またはその後に構成された後では、表示された情報は変化できない。例えば、電子ディスプレイ１６、１１６は、当初に表示された情報をスクリーン上に永続的に焼き付けるＬＣＤディスプレイであってもよい。
【００４３】
本文で説明される任意の配置の各々は、本文で提示される説明によって提案される１つ以上の機能の組み合わせを提供するのに充分な組み合わせまたは変形のいずれかのセットで配置されてもよい。さらに、各々の例示的配置に関して開示される特徴の各々は、当業者によって理解されるように、機能の有用な組み合わせを提供するように、いずれかの機能的組み合わせにおいて結合されてもよい。
【産業上の利用可能性】
【００４４】
本文で開示される様々な配置およびオプションのいずれかの１つ以上を組み込む構成可能なプロセス制御装置は、多くの異なるプロセス制御の用途において有用である。１つの例示の構成可能なプロセス制御装置は、バルブ位置コントローラ１１０である。但し、本文で説明される構成可能なプロセス制御装置は、いずれかの特定の工業的使用に限定されなくて、所望のいずれかの方法または用途に使用されてもよい。
【００４５】
本文で開示される構成可能なプロセス制御装置への多くの変更は、上記の説明の観点から当該技術分野の当業者には明らかである。したがって、この説明は事例的なもののみと見なされ、当該技術分野の当業者が発明を実施し使用し、同様に好ましい実施形態を教示できるようにすることを目的として提示されている。開示および添付の請求項の範囲内での全ての変更に対する独占権が保有される。
【図１】
2016503555.tif 000003
【図２Ａ】
2016503555.tif 000004
【図２Ｂ】
2016503555.tif 000005
【図３】
2016503555.tif 000006
【国際調査報告】
2016503555.tif 000007
2016503555.tif 000008